(57)【特許請求の範囲】
【請求項１】
試料である粒状の米類を糊化溶液に浸漬し米類を糊化させる糊化工程と、
前記糊化工程後、溶液と未溶解の前記米類とを分離する分離工程と、
前記分離工程で得られる溶液中の溶出デンプン量をヨウ素デンプン呈色反応を用いて検出する検出工程と、
溶出デンプン量と米類の特性値との相関関係に基づき米類の評価を行う評価工程と、
を含むことを特徴とする米類の評価方法。
【請求項２】
前記米類の特性値が、糊化開始温度、蒸米消化性、老化性であることを特徴とする請求項１に記載の米類の評価方法。
【請求項３】
前記試料は、胚乳部を露出させた玄米、又は搗精し、糠部を取り除いた白米であることを特徴とする請求項１又は請求項２に記載の米類の評価方法。
【請求項４】
前記糊化溶液が、アルカリ溶液であることを特徴とする請求項１から請求項３のいずれか１項に記載の米類の評価方法。
【請求項５】
前記糊化溶液が水酸化カリウム溶液であり、濃度が０．２ｍｏｌ／Ｌ以上０．４ｍｏｌ／Ｌ以下であることを特徴とする請求項１から請求項４のいずれか１項に記載の米類の評価方法。
【請求項６】
前記糊化溶液が、尿素溶液であることを特徴とする請求項１から請求項３のいずれか１項に記載の米類の評価方法。
【請求項７】
前記糊化溶液が尿素溶液であり、濃度が２ｍｏｌ／Ｌ以上６ｍｏｌ／Ｌ以下であることを特徴とする請求項１から請求項３のいずれか１項に記載の米類の評価方法。
【請求項８】
前記糊化工程を、１５℃以上４５℃以下の温度で行うことを特徴とする請求項１から請求項７のいずれか１項に記載の米類の評価方法。
【請求項９】
前記糊化工程において、内部にメッシュ状部材を装着した容器を使用し、前記試料を前記メッシュ状部材の上に置いた状態で糊化溶液に浸漬させ試料である米類を糊化させ、
前記分離工程において、前記メッシュ状部材を取り除くことで溶液と未溶解の前記米類とを分離することを特徴とする請求項１から請求項８のいずれか１項に記載の米類の評価方法。
【請求項１０】
前記分離工程と前記検出工程との間に、前記分離工程で得られる溶液にアルカリ溶液を添加し、さらに加熱する完全糊化工程を有し、
前記検出工程は、前記分離工程で得られる溶液に代え、前記完全糊化工程後の溶液を用い、前記溶出デンプン量の検出は、ヨウ素デンプン呈色反応後の溶液を５００ｎｍ以上６２０ｎｍ以下の波長で吸光度を測定することで行うことを特徴とする請求項１から請求項９のいずれか１項に記載の米類の評価方法。
【請求項１１】
前記検出工程において、溶出デンプン量に代え、ヨウ素デンプン呈色反応後の溶液の吸光度を検出し、
前記評価工程において、溶出デンプン量に代え、ヨウ素デンプン呈色反応後の溶液の吸光度と米類の特性値との相関関係に基づき米類の評価を行うことを特徴とする請求項１から請求項１０のいずれか１項に記載の米類の評価方法。
【請求項１２】
前記検出工程において、ろ紙等にヨウ素酸カリウムを固着させた試験紙、又はシリカゲルを塗布したガラス板にヨウ素酸カリウムを固着させた試験板を準備し、前記分離工程で得られる溶液に０．５％以上１．０％以下の亜硫酸水素ナトリウムを添加し、当該溶液と前記試験紙又は試験板とを接触させ試験紙又は試験板を呈色させ、呈色した試験紙又は試験板の色調から溶液中の溶出デンプン量を検出することを特徴とする請求項１から請求項９のいずれか１項に記載の米類の評価方法。
【請求項１３】
前記検出工程において、溶出デンプン量に代え、呈色した試験紙又は試験板の色調を検出し、
前記評価工程において、溶出デンプン量に代え、ヨウ素デンプン呈色反応後の試験紙又は試験板の色調と米類の特性値との相関関係に基づき米類の評価を行うことを特徴とする請求項１２に記載の米類の評価方法。
【請求項１４】
試料である粒状の米類を糊化溶液に浸漬させ米類を糊化させる糊化手段と、
糊化された米類を溶液と未溶解の米類とに分離する分離手段と、
溶液中の溶出デンプン量をヨウ素デンプン呈色反応を用いて検出する検出手段と、を含み、
前記検出手段が検出するデータと米類の特性値との相関関係に基づき米類の評価を行うことが可能なことを特徴とする米類の評価装置。
【請求項１５】
前記検出手段が、ヨウ素デンプン呈色反応後の溶液の吸光度を測定する吸光度計であることを特徴とする請求項１４に記載の米類の評価装置。
【発明の詳細な説明】
【技術分野】
【０００１】
本発明は、米類の蒸米消化性、老化性等を定量的に評価することができる米類の評価方法及び評価装置に関する。
【背景技術】
【０００２】
米の品質を事前にチェックすることができればそのメリットは非常に大きい。例えば酒造メーカーでは、事前に品質が分かれば品質が悪くても仕込みで対応することが可能であり、これにより酒質を一定品質以上に保つことができる。また米生産者は、酒造メーカーの要請に応じて栽培方法、品種を検討することができる。
【０００３】
米類の性状、品質を評価する方法は、これまでに多くの方法が提案されている。例えば米を粉砕し、水を加えて味覚センサを用いて電位を測定し、性状、品質を判定する方法（例えば特許文献１参照）、試料米に近赤外線を照射し、得られる二次微分スペクトルから成分含有率を算出する方法がある（例えば特許文献２参照）。また米のデンプンにおける硬さや粘り等の物理的特性をヨウ素吸収マルチスペクトル法を用いて推定する方法も提案されている（例えば特許文献３参照）。
【０００４】
酒米の特性についても種々の方法で評価されている。酒米の軟質米の評価は、一般的に酒米統一分析法の蒸米消化性試験（例えば非特許文献１参照）を用いて行われる。しかしながらこの方法については、以下の課題が指摘されている。酒米統一分析法の蒸米消化性試験は、水分調湿、精米の作業など多くの作業が必要であり、作業が煩雑である。また玄米量として最低１５０ｇ以上が必要なため、一個体の玄米量が数ｇしか得られない育種の初期段階においては、酒米統一分析法の蒸米消化性試験を適用することができない。
【０００５】
蒸米消化性を予測する方法として、白米のアルカリ崩壊性により蒸米消化性を予測する方法がある（非特許文献２参照）。この方法は、精米した白米を１．４％のＫＯＨ溶液に２４時間浸漬させたときの粒の崩壊度（アルカリ崩壊度）と蒸米消化性との相関関係に基づき、アルカリ崩壊度を測定し、蒸米消化性を予測するものである。
【先行技術文献】
【特許文献】
【０００６】
【特許文献１】特開２００９−１４５５１号公報
【特許文献２】特開平８−２９３３５号公報
【特許文献３】特開２００５−３４５４３２号公報
【非特許文献】
【０００７】
【非特許文献１】酒米研究会，酒造用原料米全国統一分析法，平成８年１０月１５日
【非特許文献２】長沼孝多ら，山梨県産酒造米の登熟期気温と蒸米酵素消化性との関連，山梨県総合理工学研究機構研究報告書  第７号（２０１２），１１頁
【発明の概要】
【発明が解決しようとする課題】
【０００８】
非特許文献２に記載の方法は、酒米統一分析法の蒸米消化性試験に比較して大幅に時間を短縮することができる。しかしながら非特許文献２に記載の方法は、アルカリ崩壊度を”全く溶けない”から”完全に溶解”までの１０段階に区分し、その判定を目視で行っているため定量的な評価ができない。また蒸米消化性の評価を、玄米を用いて行うことができれば精米の手間が省けより好ましいが、このような方法はこれまで報告されていない。非特許文献２以外にも多くの方法が提案されているが、蒸米消化性、老化性、高温登熟の影響等を、少量の試料を用いて迅速にかつ定量的に評価することができる方法はない。
【０００９】
本発明の目的は、少量の試料で迅速に定量的な評価が可能な米類の評価方法及び評価装置を提供することである。
【課題を解決するための手段】
【００１０】
本発明は、試料である粒状の米類を糊化溶液に浸漬し米類を糊化させる糊化工程と、前記糊化工程後、溶液と未溶解の前記米類とを分離する分離工程と、前記分離工程で得られる溶液中の溶出デンプン量をヨウ素デンプン呈色反応を用いて検出する検出工程と、溶出デンプン量と米類の特性値との相関関係に基づき米類の評価を行う評価工程と、を含むことを特徴とする米類の評価方法である。
【００１１】
本発明において、前記米類の特性値が、糊化開始温度、蒸米消化性、老化性であることを特徴とする。
【００１２】
また本発明において、前記試料は、胚乳部を露出させた玄米、又は搗精し、糠部を取り除いた白米であることを特徴とする。
【００１３】
また本発明において、前記糊化溶液が、アルカリ溶液であることを特徴とする。
【００１４】
また本発明において、前記糊化溶液が水酸化カリウム溶液であり、濃度が０．２ｍｏｌ／Ｌ以上０．４ｍｏｌ／Ｌ以下であることを特徴とする。
【００１５】
また本発明において、前記糊化溶液が、尿素溶液であることを特徴とする。
【００１６】
また本発明において、前記糊化溶液が尿素溶液であり、濃度が２ｍｏｌ／Ｌ以上６ｍｏｌ／Ｌ以下であることを特徴とする。
【００１７】
また本発明において、前記糊化工程を、１５℃以上４５℃以下の温度で行うことを特徴とする。
【００１８】
また本発明は、前記糊化工程において、内部にメッシュ状部材を装着した容器を使用し、前記試料を前記メッシュ状部材の上に置いた状態で糊化溶液に浸漬させ試料である米類を糊化させ、前記分離工程において、前記メッシュ状部材を取り除くことで溶液と未溶解の前記米類とを分離することを特徴とする。
【００１９】
また本発明において、前記分離工程と前記検出工程との間に、前記分離工程で得られる溶液にアルカリ溶液を添加し、さらに加熱する完全糊化工程を有し、前記検出工程は、前記分離工程で得られる溶液に代え、前記完全糊化工程後の溶液を用い、前記溶出デンプン量の検出は、ヨウ素デンプン呈色反応後の溶液を５００ｎｍ以上６２０ｎｍ以下の波長で吸光度を測定することで行うことを特徴とする。
【００２０】
また本発明は、前記検出工程において、溶出デンプン量に代え、ヨウ素デンプン呈色反応後の溶液の吸光度を検出し、前記評価工程において、溶出デンプン量に代え、ヨウ素デンプン呈色反応後の溶液の吸光度と米類の特性値との相関関係に基づき米類の評価を行うことを特徴とする。
【００２１】
また本発明は、前記検出工程において、ろ紙等にヨウ素酸カリウムを固着させた試験紙、又はシリカゲルを塗布したガラス板にヨウ素酸カリウムを固着させた試験板を準備し、前記分離工程で得られる溶液に０．５％以上１．０％以下の亜硫酸水素ナトリウムを添加し、当該溶液と前記試験紙又は試験板とを接触させ試験紙又は試験板を呈色させ、呈色した試験紙又は試験板の色調から溶液中の溶出デンプン量を検出することを特徴とする。
【００２２】
また本発明は、前記検出工程において、溶出デンプン量に代え、呈色した試験紙又は試験板の色調を検出し、前記評価工程において、溶出デンプン量に代え、ヨウ素デンプン呈色反応後の試験紙又は試験板の色調と米類の特性値との相関関係に基づき米類の評価を行うことを特徴とする。
【００２３】
また本発明は、試料である粒状の米類を糊化溶液に浸漬させ米類を糊化させる糊化手段と、糊化された米類を溶液と未溶解の米類とに分離する分離手段と、溶液中の溶出デンプン量をヨウ素デンプン呈色反応を用いて検出する検出手段と、を含み、前記検出手段が検出するデータと米類の特性値との相関関係に基づき米類の評価を行うことが可能なことを特徴とする米類の評価装置である。
【００２４】
また本発明において、前記検出手段が、ヨウ素デンプン呈色反応後の溶液の吸光度を測定する吸光度計であることを特徴とする。
【発明の効果】
【００２６】
本発明によれば、少量の試料で迅速に定量的な評価が可能な米類の評価方法及び評価装置を提供することができる。
【図面の簡単な説明】
【００２７】
【図１】本発明の第１の米類の評価方法の手順を示すフローチャートである。
【図２】本発明の第１の米類の評価方法を実施可能な評価装置の構成を示す図である。
【図３】本発明の第１の米類の評価方法を実施可能な評価装置の構成を示す図である。
【図４】本発明の第１の米類の評価方法を実施可能な評価装置の構成を示す図である。
【図５】本発明の第１の米類の評価方法における糊化工程の糊化溶液の濃度と溶出デンプン量との関係を示すグラフである。
【図６】本発明の第１の米類の評価方法における糊化工程に適した糊化溶液の濃度及び糊化温度の範囲を示す図である。
【図７】ヨウ素デンプン呈色反応後の溶液の波長λと吸光度との関係を表すグラフである。
【図８】本発明の第２の米類の評価方法の手順を示すフローチャートである。
【図９】本発明の第２の米類の評価方法を実施可能な評価装置の構成を示す図である。
【図１０】デンプン濃度とヨウ素デンプン呈色反応の吸光度との関係を示すグラフである。
【図１１】本発明の実施例である溶出デンプン量と糊化開始温度との関係を示すグラフである。
【図１２】本発明の実施例である溶出デンプン量と糊化開始温度との関係を示すグラフである。
【図１３】本発明の実施例である溶出デンプン量と糊化開始温度との関係を示すグラフである。
【図１４】本発明の実施例である溶出デンプン量と糊化開始温度との関係を示すグラフである。
【図１５】本発明の実施例である吸光度と糊化開始温度との関係を示すグラフである。
【図１６】本発明の実施例である溶出デンプン量と蒸米消化性（Ｂｒｉｘ）との関係を示すグラフである。
【図１７】本発明の実施例である溶出デンプン量と出穂から２０日間の平均気温との関係を示すグラフである。
【図１８】本発明の実施例である溶出デンプン量と出穂から２０日間の平均気温との関係を示すグラフである。
【図１９】本発明の実施例である溶出デンプン量と餅の硬さとの関係を示すグラフである。
【図２０】本発明の実施例である溶出デンプン量と餅の硬さとの関係を示すグラフである。
【図２１】本発明の実施例である溶出デンプン量と米粉パンの硬さとの関係を示すグラフである。
【図２２】本発明の実施例である溶出デンプン量と炊飯米表面の硬さとの関係を示すグラフである。
【発明を実施するための形態】
【００２８】
図１は、本発明の第１の米類の評価方法の手順を示すフローチャートであり、図２〜図４は、本発明の第１の米類の評価方法を実施可能な評価装置の構成を示す図である。以下、図面に基づき本発明の第１の米類の評価方法及び評価装置について詳細に説明する。
【００２９】
本発明の第１の米類の評価方法は、試料である米類を糊化溶液に浸漬し米類を糊化させる糊化工程（ステップＳ１）と、糊化工程後、溶液と未溶解の米類（米残渣）とを分離する分離工程（ステップＳ２）と、分離工程で得られる溶液にアルカリ溶液を添加し、さらに加熱する完全糊化工程（ステップＳ３）と、完全糊化工程で得られる溶液中の溶出デンプン量をヨウ素デンプン呈色反応を用いて検出する検出工程（ステップＳ４）と、溶出デンプン量と米類の特性値との相関関係に基づき米類の評価を行う評価工程（ステップＳ５）とを含む。
【００３０】
図２〜図４に示す米類の評価装置は、本発明の第１の米類の評価方法を実施するための装置であり、試料である米類を糊化溶液に浸漬させ米類を糊化させる糊化手段１１と、糊化された米類を溶液と未溶解の米類（米残渣）とに分離する分離手段２１と、分離工程で得られる溶液にアルカリ溶液を添加し、さらに加熱する完全糊化手段３１と、溶液中の溶出デンプン量をヨウ素デンプン呈色反応を用いて検出する検出手段とを含む。
【００３１】
本発明の米類の評価方法では、粳米のみならず糯米も対象とすることができる。粳米及び糯米は、特定の品種のものに限定されるものではなく幅広く対象とすることができる。また粳米及び糯米の収穫時期、保管期間も特定のものに限定されるものではない。
【００３２】
本発明の米類の評価方法では、粳米、糯米の玄米又は白米を用いて評価する。白米は、搗精し、糠部を取り除いたものを使用する。玄米は、胚乳部を露出させた玄米を使用する。具体的には、玄米をナイフ等で半分に切断したもの、あるいは１／４に切断したものを使用することができる。玄米を切断することなく使用すると、糊化工程において、膨潤はするものの崩壊が生じないため本方法を適用することができない（図３（ａ）比較例参照）。
【００３３】
糊化工程（ステップＳ１）では、試料３である白米５又は半分に切断された玄米７を糊化溶液１７に浸漬し、試料３を糊化させる。具体的には容器１３内に試料３が通過しない範囲で目開きの大きいメッシュ部材１５を装着し、糊化溶液１７を所定量充填し、そこに所定量の試料３を投入する（図２（ｂ）、（ｃ）参照）。メッシュ部材１５を装填するのは、糊化後の溶液１９と未溶解の試料４とを分離するためである。
【００３４】
試料３と糊化溶液１７との割合の一例を示せば、後述の実施例に示すように半粒の玄米１０粒に対して、糊化溶液５ｍＬである。但し、試料３と糊化溶液１７との割合は、特定の数値に限定されるものではない。なお、半粒の玄米１０粒の重量は、約０．１０〜０．１５ｇである。
【００３５】
試料３は、糊化溶液１７に浸漬した状態で、１５℃以上４５℃以下の温度、好ましくは２０℃以上４０℃以下の温度、より好ましくは３０℃で、温度を一定に保持し２４時間放置し、糊化させる（図３（ａ）参照）。糊化工程において糊化溶液１７に溶出するデンプン量（溶出デンプン量）は、温度に比例する。実験結果の一例を示せば、糊化温度１５℃、３０℃、４５℃で溶出デンプン量は、大凡５ｍｇ／ｍＬ、１０ｍｇ／ｍＬ、２０ｍｇ／ｍＬであった。このように溶出デンプン量の温度依存性は大きいので、糊化は、恒温槽、恒温室で行うことが好ましい。
【００３６】
糊化温度は、糊化工程で得られる溶液１９がゼリー状とならない範囲で、溶出デンプン量が多い温度が好ましい。また操作等の点からは、温度が比較的低く、制御し易い温度が好ましい。後述のように糊化温度が１５℃を下回ると溶出デンプン量が不足し、４５℃を上回ると溶液１９がゼリー状となる。溶出デンプン量及び操作性の点から２０℃以上４０℃以下の温度が好ましく、３０℃がより好ましい。
【００３７】
糊化とは、生のデンプン（β−デンプン）に水を加えて加熱するとデンプンがα−デンプンに変化し、粘性を増すことをいう。本実施形態では、糊化溶液１７、容器１３及び糊化溶液１７を１５℃以上４５℃以下にする手段が糊化手段１１に該当する。
【００３８】
糊化溶液１７にはアルカリ溶液又は尿素溶液を使用する。ここで使用可能な溶液としては、水酸化カリウム、水酸化ナトリウム，チオシアン酸カリウム、ヨードカリウム、硝酸アンモニア、塩化カルシウム、塩酸グアニジン、ジメチルスルホキシドの水溶液、尿素溶液が例示される。
【００３９】
中でも水酸化カリウム溶液及び尿素溶液を好適に使用することができる。水酸化カリウム溶液の濃度は、０．２ｍｏｌ／Ｌ以上０．４ｍｏｌ／Ｌ以下、好ましくは０．２５ｍｏｌ／Ｌ以上０．３ｍｏｌ／Ｌ以下、より好ましくは０．２７ｍｏｌ／Ｌである。尿素溶液の濃度は、２ｍｏｌ／Ｌ以上６ｍｏｌ／Ｌ以下、好ましくは３．０ｍｏｌ／Ｌ以上６．０ｍｏｌ／Ｌ以下、より好ましくは４．０ｍｏｌ／Ｌである。
【００４０】
水酸化カリウム溶液及び尿素溶液とも濃度が高くなるに従って溶出デンプン量が増加する。図５は、尿素溶液の濃度と溶出デンプン量との関係を示すグラフである。図５は、本発明の第１の米類の評価方法を用い、糊化工程において尿素溶液の濃度を変化させ溶出デンプン量を求めたものであり、試料３には、２種類の酒米を使用した。糊化温度は３０℃である。
【００４１】
図５から、尿素溶液の濃度が２ｍｏｌ／Ｌを下回ると、デンプンは殆ど溶出しないため２種類の酒米の違いを評価することができない。一方、尿素溶液の濃度が６ｍｏｌ／Ｌを上回ると、溶出デンプン量はほぼ一定の値となるため尿素溶液の濃度を６ｍｏｌ／Ｌ以上とすることは不経済である。また尿素溶液の濃度が６ｍｏｌ／Ｌを上回ると、糊化後の溶液１９がゼリー状となり好ましくない。
【００４２】
米類を評価するには、米毎の溶出デンプン量の差が大きいことが好ましく、分析精度の点からは溶出デンプン量の値が大きいことが好ましい。図５の場合、尿素溶液の濃度が３．０ｍｏｌ／Ｌ以上６．０ｍｏｌ／Ｌ以下の範囲において、酒米（１）及び酒米（２）の溶出デンプン量の差が大きく、尿素溶液の濃度が４．０ｍｏｌ／Ｌでは、酒米（１）及び酒米（２）の溶出デンプン量の差が大きく、かつ溶出デンプン量の値も大きい。
【００４３】
水酸化カリウム溶液の濃度と溶出デンプン量との関係は、尿素溶液と絶対値が異なるものの、尿素溶液とほぼ同じである。
【００４４】
図６は、実験データに基づき、糊化工程に適した糊化溶液１７の濃度及び糊化温度の範囲を示す図である。図６（ａ）は糊化溶液が水酸化カリウム溶液の場合、図６（ｂ）は、糊化溶液が尿素溶液の場合であり、図中斜線部分が糊化工程に適した範囲である。
【００４５】
糊化溶液１７に水酸化カリウム溶液を使用する場合、水酸化カリウム溶液の濃度が０．４Ｍを上回ると糊化温度が１５℃であっても糊化後の溶液１９がゼリー状となる。同様に糊化温度が４５℃を上回ると水酸化カリウム溶液の濃度を０．２Ｍとしても糊化後の溶液１９がゼリー状となる。糊化工程で得られる溶液１９がゼリー状となると、後工程である分離工程において、溶液１９と未溶解の試料４との分離が非常に難しく、溶出デンプン量を精度よく検出することができない。
【００４６】
また糊化温度が１５℃を下回ると水酸化カリウム溶液の濃度を０．４Ｍとしても溶出デンプン量が非常に少なく、溶出デンプン量の検出精度が低下する。同様に、水酸化カリウム溶液の濃度が０．２Ｍを下回ると、糊化温度を４５℃としても溶出デンプン量が非常に少なく、溶出デンプン量の検出精度が低下する。
【００４７】
溶出デンプン量の糊化溶液濃度依存性と溶出デンプン量の糊化温度依存性とを比較すると後者の方が大きいため、図６（ａ）の（Ａ）の領域は、ゼリー状態になり易く、図６（ａ）の（Ｃ）の領域は、デンプン溶出量不足となり易い。なお、図６（ａ）の（Ｂ）の領域は、ゼリー状態、図６（ａ）の（Ｄ）の領域は、デンプン溶出量不足である、この点は、図６（ｂ）の尿素溶液についても同じである。
【００４８】
以上のことから水酸化カリウム溶液を使用する場合、糊化温度が１５℃以上４５℃以下でかつ０．２Ｍ（ｍｏｌ／Ｌ）以上０．４Ｍ以下の水酸化カリウム溶液を用いることが好ましい。
【００４９】
糊化溶液１７に尿素溶液を使用する場合も、図６（ｂ）に示すように尿素溶液の濃度が６Ｍを超えるか、糊化温度が４５℃を超えると糊化後の溶液１９がゼリー状となり、分離工程において、溶液１９と未溶解の試料４との分離が非常に難しく、溶出デンプン量を精度よく検出することができない。また糊化温度が１５℃を下回るか、尿素溶液の濃度が２Ｍを下回ると溶出デンプン量が非常に少なく、溶出デンプン量の検出精度が低下する。
【００５０】
以上のことから尿素溶液を使用する場合、糊化温度が１５℃以上４５℃以下でかつ２Ｍ（ｍｏｌ／Ｌ）以上６Ｍ以下の尿素溶液を用いることが好ましい。
【００５１】
分離工程（ステップＳ２）では、糊化工程で得られる、溶液１９と未溶解の試料４とを分離する。上記の通り糊化工程において、試料３は、メッシュ部材１５内に充填されるので、メッシュ部材１５を容器１３から引き上げることで溶液１９と未溶解の試料４とを簡単に分離することができる。本実施形態では、メッシュ部材１５が分離手段２１に該当する。
【００５２】
完全糊化工程（ステップＳ３）は、糊化工程で溶出したデンプン（溶出デンプン）が含まれている、分離工程で得られる溶液１９にアルカリ溶液を添加し、さらに加熱し、溶液中の溶出デンプンを完全に糊化させる。完全糊化工程を省略し、分離工程（ステップＳ２）の後に、検出工程を実施してもよいが、アルカリ添加による強制糊化である完全糊化工程を実施することで、沈澱が起こらず安定的な測定が可能となる。
【００５３】
具体的には、分離工程で得られる溶液１９に１Ｎ水酸化ナトリウム溶液を添加し、沸騰水中で１０分間程度加熱し、完全糊化させる。その後に１Ｎの酢酸溶液を加えて中和する（図３（ｂ）参照）。なお、分離工程で得られる溶液１９は、白濁した溶液であり均質な状態ではない。このため１Ｎ水酸化ナトリウム溶液を添加する前に、超音波撹拌器又はホモジナイザー等を用いて十分に均質化させることが好ましい。本実施形態では、超音波撹拌器又はホモジナイザー等（図示省略）を含み、完全糊化工程で使用する薬剤及び加熱手段が、完全糊化手段３１に該当する。
【００５４】
検出工程（ステップＳ４）は、完全糊化工程で得られる溶液３２中の溶出デンプン量（デンプン濃度）を、ヨウ素デンプン呈色反応を用いて検出する。なお、完全糊化工程を省略するときには、分離工程で得られる溶液１９中の溶出デンプン量をヨウ素デンプン呈色反応を用いて検出する。このときも分離工程で得られる溶液１９を超音波撹拌器又はホモジナイザー等を用いて十分に均質化させ使用することが好ましい。
【００５５】
溶出デンプン量の検出は、完全糊化工程で得られる溶液３２にヨウ素−ヨウ化カリウム溶液を加え、ヨウ素デンプン反応（ヨウ素デンプン呈色反応）を行い（図４（ａ）、（ｂ）参照）、ヨウ素デンプン呈色反応後の溶液の吸光度を測定することで行う。図７は、ヨウ素デンプン呈色反応後の溶液の波長λと吸光度との関係を表すグラフである。図７の結果から、波長λ＝５００〜６２０ｎｍの範囲で吸光度が高く、この範囲内で溶液の吸光度を測定することが好ましいことが分かる。
【００５６】
ヨウ素デンプン呈色反応後の溶液の吸光度とデンプン濃度との関係は、図１０に示すように正比例の関係にあるので、溶液の吸光度を測定することで溶液中の溶出デンプン量を簡単に算出することができる。本実施形態では、ヨウ素−ヨウ化カリウム溶液、吸光度計、及びデンプン濃度と吸光度との関係式又はグラフが検出手段に該当する。
【００５７】
評価工程（ステップＳ５）は、溶出デンプン量と米類の特性値との相関関係に基づき米類の評価を行う。後述の実施例にも示すように溶出デンプン量と糊化開始温度等との間には相関関係がある。（図１１〜図１４参照）。糊化開始温度は、生のデンプン（β−デンプン）に水を加えて加熱したときデンプンがα−デンプンに変化し、粘性が急激に立ち上がる時の温度であり、デンプン固有の物性値である。糊化開始温度の測定は、粘度測定装置であるＲＶＡ（ラピッドビスコアナライザー）を用いて行うことができる。
【００５８】
同様に、溶出デンプン量と蒸米消化性との間、溶出デンプン量と登熟温度との間には、後述の実施例に示すように相関関係がある（図１６、図１７、図１８参照）。また糊化開始温度と糊化性、老化性、粳米、糯米の硬化度、蒸米消化性との間には相関関係があることが知られている。さらに糊化開始温度など米類の特性値と品質との間にも相関関係があり、例えば粳米に関しては，一般的に糊化開始温度が低い系統の食味値が高いと言われている。老化は、糊化デンプンの状態から水が抜け、β−デンプンの状態に戻ることをいう。
【００５９】
以上のように溶出デンプン量と糊化開始温度など米類の特性値との間には、相関関係があるので、予め本方法を用いて米類の溶出デンプン量と糊化開始温度など米類の特性値との関係を取得し、以後、同一の条件で米類の溶出デンプン量を検出することで蒸米消化性など米類の特性値を算出することができ、さらにこの特性値から米類の評価を行うことができる。
【００６０】
予め取得したヨウ素デンプン呈色反応後の溶液の吸光度と溶出デンプン量、溶出デンプン量と糊化開始温度、蒸米消化性等との関係式をコンピュータ等にプログラミングしておけば、吸光度を測定することで簡単に蒸米消化性等を評価することができる。ヨウ素デンプン反応呈色液の吸光度を測定する吸光度計と上記コンピュータとを連結し、吸光度データを自動的に取り込むようにすればより簡単に蒸米消化性等を評価することができる。この場合、上記コンピュータが評価手段となる。
【００６１】
本発明の第１の米類の評価方法は、検出工程及び評価工程を以下のように変形することができる。検出工程において、溶出デンプン量に代え、ヨウ素デンプン呈色反応後の溶液の吸光度を検出し、評価工程において、溶出デンプン量に代え、ヨウ素デンプン呈色反応後の溶液の吸光度と米類の特性値との相関関係に基づき米類の評価を行う。
【００６２】
ヨウ素デンプン呈色反応後の溶液の吸光度とデンプン濃度、溶出デンプン量と糊化開始温度など米類の特性値との間に相関関係があることは既に説明の通りである。よって、ヨウ素デンプン呈色反応後の溶液の吸光度と米類の特性値との間にも相関関係が生じる。この点は、後述の実施例で確認済である（図１５参照）。このため溶出デンプン量に代え、ヨウ素デンプン呈色反応後の溶液の吸光度から米類の評価を行うことができる。
【００６３】
具体的には、予め本方法を用いてヨウ素デンプン呈色反応後の溶液の吸光度と米類の特性値との関係を取得する。これらの関係を取得後は、本方法を用いてヨウ素デンプン呈色反応後の溶液の吸光度を検出することで蒸米消化性など米類の特性値を算出することができ、さらにこの特性値から米類の評価を行うことができる。
【００６４】
図８は、本発明の第２の米類の評価方法の手順を示すフローチャートであり、図９は、本発明の第２の米類の評価方法を実施可能な評価装置の構成を示す図である。以下、本発明の第１の米類の評価方法及び図２〜図４に示す評価装置との相違点を中心に説明する。図２〜図４に示す評価装置と同一の構成には、同一の符号を付して説明を省略する。
【００６５】
本発明の第２の米類の評価方法は、試料３である米類を糊化溶液１７に浸漬し米類を糊化させる糊化工程（ステップＳ１１）と、糊化工程後、溶液１９と未溶解の米類（米残渣）４とを分離する分離工程（ステップＳ１２）と、分離工程で得られる溶液中の溶出デンプン量をヨウ素デンプン呈色反応を用いて検出する検出工程（ステップＳ１３）と、溶出デンプン量と米類の特性値との相関関係に基づき米類の評価を行う評価工程（ステップＳ１４）とを含む。
【００６６】
第２の米類の評価方法で実施する糊化工程（ステップＳ１１）、分離工程（ステップＳ１２）は、第１の米類の評価方法で実施する糊化工程（ステップＳ１）、分離工程（ステップＳ２）と同一であり、評価工程（ステップＳ１４）も第１の米類の評価方法で実施する評価工程（ステップＳ５）と基本的に同じである。一方、検出工程（ステップＳ１３）は、溶出デンプン量を定量的に把握できる点では、第１の米類の評価方法の検出工程（ステップＳ４）と同じであるが、手法が大きく異なる。
【００６７】
検出工程（ステップＳ１３）は、分離工程で得られる溶液１９中の溶出デンプン量をヨウ素デンプン呈色反応を用いて検出する工程であり、ここでは試験紙４２又は試験板を用いて行う。試験紙４２は、０．７％ヨウ素酸カリウム水溶液にろ紙の一種であるブロッティングペーパーを浸し、十分に浸漬させた後に風乾させたものである。一方、試験板は、シリカゲルを塗布したガラス板にヨウ素酸カリウムを固着させたものである。
【００６８】
溶出デンプン量の検出は、次の手順で行う。分離工程で得られる溶液１９を酢酸で中和させた後、０．５〜１．０％の亜硫酸水素ナトリウムを添加する。この溶液３３を、ヨウ素酸カリウム水溶液を固着させた上記試験紙４２を約１ｃｍ角に切断したものにスポットする。試験紙４２に溶液３３をスポットするとヨウ素酸カリウムと溶液３３中の亜硫酸イオンが反応してヨウ化物イオンが生成する。多量のヨウ素酸塩存在下での反応であるので、生成したヨウ化物イオンによりヨウ素が生成する。生成したヨウ素と溶液３３中のデンプンが反応し、ヨウ素デンプン呈色反応が起こる。
【００６９】
呈色反応後の試験紙４２の色調は、デンプン量に応じて色調が異なる、つまり呈色反応後の試験紙４２の色調とデンプン量との間には相関関係があるので、予め作成したデンプン濃度と色調との関係から、溶出デンプン量を簡単に求めることができる。未使用の試験紙４２は白色であり、呈色反応後の試験紙４２の色調は、デンプン量が多い程、濃紫色となり、デンプン量が少ないほど赤紫色、ピンク色となる（図９（ｂ））。
【００７０】
評価工程（ステップＳ１４）は、第１の米類の評価方法の評価工程（ステップＳ５）と同様に、溶出デンプン量と米類の特性値との相関関係に基づき米類の評価を行う。試験板を用いる場合も、試験紙４２を用いる場合と変わりない。
【００７１】
第２の米類の評価方法も検出工程及び評価工程を以下のように変形することができる。検出工程において、溶出デンプン量に代え、ヨウ素デンプン呈色反応後の試験紙４２又は試験板の色調を検出し、評価工程において、溶出デンプン量に代え、ヨウ素デンプン呈色反応後の試験紙４２又は試験板の色調と米類の特性値との相関関係に基づき米類の評価を行う。第２の米類の評価方法の変形法と第１の米類の評価方法の変形法とは、同じ技術的思想に基づくものである。
【００７２】
以上、本発明の第１、第２の米類の評価方法及び評価装置の説明から分かるように、本発明の米類の評価方法は、少量の米を用いて評価することができる。このため育種の初期段階の米の評価もできる。また評価に要する時間は、糊化工程に２４時間必要であるが、他の工程は短時間で済み、全体でも２４時間強の時間で評価できる。
【００７３】
また本発明の米類の評価方法は、試料が白米のみならず玄米でもよいので精米の必要がなく容易に実施することができる。さらに操作が簡単であり、それに使用する機器、器具、薬剤も特殊なものを必要としないため実施し易い。特に試験紙４２、試験板を使用する第２の米類の評価方法は、キット化も容易であり、誰でも容易に使える。
【００７４】
本発明は、酒米の軟質性、粳米の老化度、糯米の硬化度、米粉パンなど米粉利用食品の硬化度などの物性値を推定する用途として利用可能であり、登熟期の気温上昇による米の品質の年次変動や、品種間差を把握することが可能となる。清酒メーカーにおいては、原料利用率の確保や酒質の安定に寄与することが期待され、米の流通業者、製粉メーカーにおいては老化防止方法の適用など、最適な原料利用方法や用途を選択することが可能となる。また、時間が経過した時の炊飯米の老化性の評価にも本発明を適用することができる。これらの点については、後述の実施例に記載の通りである。
【実施例】
【００７５】
デンプン量と吸光度の関係
精製米澱粉を１．０４４８ｇ分取し、水酸化カリウム溶液で溶解し、同溶液で５０ｍＬに定容した（原液）。原液を用い、水酸化カリウム溶液で希釈系列を作成した。それぞれを０．５ｍＬ分取し、１Ｎ水酸化ナトリウム溶液を添加後、沸騰水中で完全糊化した。その後、１Ｎ酢酸溶液で中和し、ヨウ素−ヨウ化カリウム溶液で呈色反応を行った後、２５ｍＬに定容し、５２０ｎｍで吸光度測定を行い、デンプン量との関係を調べた。デンプン濃度と吸光度の関係をグラフ（図１０）で示し、次の計算式を得た。
Ｙ＝１２．４５Ｘ・・（１）
ここでＸ＝吸光度
Ｙ＝デンプン濃度（ｍｇ／ｍＬ）
【００７６】
溶出デンプン量（崩壊度）と糊化開始温度
糊化開始温度は、米粉に蒸留水を懸濁して、撹拌しながら加熱し、粘度を測定した時の粘度値が立ち上がる時の温度であり、デンプン固有の物性値である。ここではＲＶＡ（ラピッドビスコアナライザー）を用いて測定を行った。試料には、溶出デンプン量定量には、８種類の玄米と７種類の白米を使用した。また、ＲＶＡ測定には、７０％精白米粉を用いた。
【００７７】
メッシュ状部材を装着した細胞培養用プレートを６個準備し、各細胞培養用プレートにカッターナイフなどで半粒にした玄米１０粒を充填し、メッシュ状部材内で１．７％（０．３ｍｏｌ／Ｌ）水酸化カリウム溶液または４Ｍ尿素溶液５ｍＬに浸漬し、３０℃で２４時間反応させた。メッシュ状部材を取り除くことで溶液と未溶解の米とを分離し、６個の溶液を１つにまとめ超音波撹拌装置（超音波発生器）で均一化した後０．５ｍＬ分取した。その後、１Ｎ水酸化ナトリウム溶液を１．０ｍＬ添加し、沸騰水中で１０分間完全糊化させた後、１Ｎ酢酸溶液１．５ｍＬを加えて中和し、ヨウ化カリウム−ヨウ素溶液を２００μＬ加え、呈色反応を行い、蒸留水で２５ｍＬに定容した。定容量は２５ｍＬを基本とするが、デンプン溶出量に応じて測定し易い量に変更することができる。
【００７８】
波長λ＝５２０ｎｍで吸光度を測定し、式（１）の関係式を用いて溶出デンプン量を求め、ＲＶＡ（ラピッドビスコアナライザー）で測定した糊化開始温度との関係をグラフ（図１１）で示した。以下の実験においても溶出デンプン量は、基本的に、波長λ＝５２０ｎｍで吸光度を測定し、式（１）の関係式を用いて算出した。
【００７９】
７０％精白米についても玄米と同じ要領で、糊化開始温度と溶出デンプン量との関係を得た（図１２）。
【００８０】
図１１及び図１２に示されるように糊化開始温度は、溶出デンプン量に逆比例した。糊化開始温度と溶出デンプン量との間には、相関関係が見られ、溶出デンプン量を検出することで糊化開始温度を得ることができる。
【００８１】
図１３は、図１１の結果を重量補正したものである。図１３の横軸、千粒重溶出デンプン量（ｍｇ／ｍＬ）は、各半粒玄米の１０００粒の重量を測定し、図１１の溶出デンプン量をその重量で除算し、半粒玄米の１０００粒の平均重量を乗算し求めた。
【００８２】
また図１１及び図１３に示すように重量補正前後で結果が殆ど変化ないことが分かる。これは、玄米が異なっても玄米の重量が殆ど変らないことを示していると言える。実際に８種類の半粒の玄米１０００粒の重量を測定したところ、１２．３３〜１３．８１ｇであり、平均重量は１３．０４ｇ、重量のばらつき（偏差）は６％程度であった。
【００８３】
玄米が異なっても玄米の重量が変らなければ、本発明の米類の評価方法を実施する際に、試料の重量を測定する必要がなく、個数を一致させるだけでよいのでより簡単に米類の評価を行うことができる。
【００８４】
糯米玄米半粒を用い、上記と同様の方法で糯米についても溶出デンプン量（崩壊度）と糊化開始温度との関係を求め、結果を図１４に示した。また図１５には、溶出デンプン量に代え、吸光度と糊化開始温度との関係を示した。糯米についても図１４に示されるように糊化開始温度は、溶出デンプン量に逆比例した。また図１５に示されるように糊化開始温度は、吸光度に逆比例した。
【００８５】
蒸米消化性と崩壊度
蒸米消化性は、蒸米の麹菌の酵素での溶けやすさを示す指標である。崩壊度については玄米半粒（７種類）、水酸化カリウムを用い、３０℃で２４時間反応させ、上記と同様の方法で溶出デンプン量を得た。蒸米消化性試験は、酒造用原料米全国統一分析法を適用し、蒸し後の老化時間を３時間、６時間、２４時間と変えた時の酵素による消化性をそれぞれＢｒｉｘ（％）値で求めた。結果を図１６に示した。
【００８６】
図１６に示すようにＢｒｉｘ値は、溶出デンプン量に正比例した。また同じ品種で比較した場合、老化時間が短い程、Ｂｒｉｘ値は上昇した。
【００８７】
出穂気温と崩壊度のデータ
同じ品種の栽培圃場（ハウス内とハウス外）が異なる酒米を用い、崩壊度については玄米半粒、水酸化カリウムを用い、３０℃で２４時間反応させ、上記と同様の方法で溶出デンプン量を得た。出穂から２０日間（登熟２０日間）の平均気温と溶出デンプン量との関係をグラフ（図１７）に示した。出穂から２０日間の気温の平均値は、圃場（ハウス内）での栽培では、ハウス内に設置した温度計で測定した出穂から２０日間の気温の平均値であり、圃場（ハウス外）での栽培では、アメダスデータベースより算出した出穂から２０日間の平均気温である。
【００８８】
同じ品種の栽培圃場が異なる粳米を用い、崩壊度については玄米半粒、水酸化カリウムを用い、３０℃で２４時間反応させ、上記と同様の方法でλ=５４０ｎｍの吸光度を得た。出穂から２０日間の平均気温と吸光度の関係をグラフ（図１８）で示した。
【００８９】
図１７及び図１８に示すように出穂から２０日間の平均気温（登熟温度）と溶出デンプン量とは逆比例した。図１７、図１８及び図１１〜図１３の結果から登熟温度が高い程、溶出デンプン量が低く、糊化開始温度が高いことが分かる。一般的に糊化開始温度が低い系統の食味値が高いと言われており、溶出デンプン量を検出することで高温登熟の影響を評価することができる。また図１７及び図１８から分かるように米の品種が異なると平均気温に対する吸光度（溶出デンプン量）は、大きく異なる。
【００９０】
餅の硬化性と崩壊度
ここで、餅の硬化性は、つきあがりから低温下で保存した時の最大荷重と定義した。崩壊度については糯米玄米半粒、１．４％水酸化カリウム、４Ｍ尿素溶液を用い、３０℃で２４時間反応させ、上記と同様の方法でλ=５２０ｎｍの吸光度を測定し、溶出デンプン量を求めた。
【００９１】
餅の作成及び物性測定については次のとおりである。玄米水分を１３％に調湿した後、精米機で歩留り９０（±０．５）％まで搗精した精白米を製粉し用いた。ビーカーにもち米粉を２１ｇ分取し，蒸留水２１ｍＬを加えて練って均一にしたものを４０ｇ分取し、団子状に丸めてアルミカップの中央に置き、蓋をして６０分間蒸した。蒸しあがり後、熱いうちに均一の厚みになるようにおもしを置いて成形し、３０分間室温で放冷させた後、冷蔵庫内（４℃）で老化させた。物性測定は５ｍｍのプランジャーで１ｍｍ／ｓｅｃの速度で７０％まで押し当てた時の最大荷重をもちの硬さとして測定した。６か所測定し、平均値を求めた。
【００９２】
結果を図１９、図２０に示した。図１９は、４Ｍ尿素溶液を使用し、図２０は、１．４％水酸化カリウムを使用し溶出デンプン量を求めた。図１９及び図２０に示されるように餅の硬化性は、溶出デンプン量に逆比例した。餅の硬化性と溶出デンプン量との間には、相関関係が見られることから、糯米の溶出デンプン量を検出することで餅の硬化性を得ることができる。
【００９３】
米粉パンの硬化性と崩壊度
ここで米粉パンの硬化性は、焼きあがりから２０℃で３日間保存した時のパンの硬さと定義した。崩壊度についてはうるち米玄米半粒、１．７％水酸化カリウムを用い、３０℃で２４時間反応させ、上記と同様の方法でλ=５２０ｎｍの吸光度を測定し、溶出デンプン量を求めた。
【００９４】
米粉パンの作成及び物性測定については次のとおりである。玄米水分を１３％に調湿した後、精米機で歩留り９０（±０．５）％まで搗精した精白米を製粉し用いた。表１の配合（粉類の２割を米粉とする）で米粉入りパン１斤を焼き、放冷後ビニール袋に入れ２０℃で保存した。３日後にクラム（白い部分）を４ｃｍ×４ｃｍ×２ｃｍに切り出し、硬さを測定した。６個測定し、平均値を求めた。２０ｍｍのプランジャーで１ｍｍ／ｓｅｃの速度で２５％まで押し当てた時の最大荷重を硬さとして測定した。
【００９５】
【表１】
0006472001.tif 000002
【００９６】
結果を図２１に示した。図２１に示されるように米粉パンの硬化性は、溶出デンプン量に逆比例した。米粉パンの硬化性と溶出デンプン量との間には、相関関係が見られることから、原料（原料の一部）粳米の溶出デンプン量を検出することで米粉パンの硬化性を得ることができる。
【００９７】
炊飯米の老化性と崩壊度
崩壊度については、うるち米玄米半粒、１．７％水酸化カリウムを用い、３０℃で２４時間反応させ、上記と同様の方法でλ=５２０ｎｍの吸光度を測定し、溶出デンプン量を求めた。
【００９８】
炊飯米の作成及び物性測定については次のとおりである。玄米水分を１３％に調湿した後、精米機で歩留り９０（±０．５）％まで搗精した精白米を用いた。精白米８ｇをアルミ製カップ（φ５ｃｍ、深さ２．５ｃｍ）に入れた後、精白米の１．４倍（重量）の蒸留水をカップに加え、電子ジャー炊飯器の中で１時間放置した。釜の底に蓋を敷き、水を８０ｇ加え、炊飯した。炊飯後、１時間蒸らした後、ラップを被せ、成型機で炊飯米が一定厚になるよう圧縮成型したものを、チャック付き袋に一つずつ入れ、１５℃で２４時間老化させた。物性測定は１８ｍｍのプランジャーで１ｍｍ／ｓｅｃの速度で２３％まで押し当てた時の最大荷重を炊飯米の表面の硬さとして測定した。いずれの試料についても３回の炊飯を行い、平均値を求めた。
【００９９】
結果を図２２に示した。図２２に示されるように炊飯米表面の硬さは、溶出デンプン量に逆比例した。炊飯米表面の硬さと溶出デンプン量との間には、相関関係が見られることから、粳米の溶出デンプン量を検出することで炊飯米表面の硬さを得ることができる。
【符号の説明】
【０１００】
３  試料
４  未溶解の試料
５  白米
７  玄米
１１  糊化手段
１３  容器
１５  メッシュ部材
１７  糊化溶液
１９  糊化後の溶液
２１  分離手段
３１  完全糊化手段
３２  完全糊化工程で得られる溶液
３３  溶液
４２  試験紙
【図１】
0006472001.tif 000003
【図２】
0006472001.tif 000004
【図３】
0006472001.tif 000005
【図４】
0006472001.tif 000006
【図５】
0006472001.tif 000007
【図６】
0006472001.tif 000008
【図７】
0006472001.tif 000009
【図８】
0006472001.tif 000010
【図９】
0006472001.tif 000011
【図１０】
0006472001.tif 000012
【図１１】
0006472001.tif 000013
【図１２】
0006472001.tif 000014
【図１３】
0006472001.tif 000015
【図１４】
0006472001.tif 000016
【図１５】
0006472001.tif 000017
【図１６】
0006472001.tif 000018
【図１７】
0006472001.tif 000019
【図１８】
0006472001.tif 000020
【図１９】
0006472001.tif 000021
【図２０】
0006472001.tif 000022
【図２１】
0006472001.tif 000023
【図２２】
0006472001.tif 000024